(57)【要約】【課題】昇降上限位置から下限位置の間の何れの位置に便器がある場合でも、収容部の前面であって便器底部とトイレ底面との間には開口部が形成されず、キャビネット前面からキャビネット内部が見えることのない昇降便器を提供する。【解決手段】便器２０と、便器の後方に設けられた排水配管３０と、便器の後方において便器を固定する可動フレーム４３０と、便器と可動フレームを昇降可能に支持する固定フレーム４２０と、可動フレームと固定フレームを収容する収容部５０と、を備え、収容部の便器側には可動フレームが取付けられる前面部が備わり、収容部の前面部には排水配管の便器側端部を便器と連結可能にすると共に、便器の昇降に応じて移動する貫通孔が形成され、かつ前面部は少なくとも排水配管より下方に便器の昇降と共に伸縮する伸縮部１００を備えている。【選択図】図１
2010127003.tif 000002
【特許請求の範囲】
【請求項１】
便器と、
前記便器の後方に設けられた排水配管と、
前記便器の後方において当該便器を固定する可動フレームと、
前記便器と前記可動フレームを昇降可能に支持する固定フレームと、
前記可動フレームと前記固定フレームを収容する収容部と、を備え、
前記収容部の便器側には前記可動フレームに取付けられる前面部が備わり、
前記収容部の前面部には前記排水配管の便器側端部を前記便器と連結可能にすると共に、前記便器の昇降に応じて移動する貫通孔が形成され、かつ
前記前面部は少なくとも前記排水配管より下方に前記便器の昇降と共に伸縮する伸縮部を備えていることを特徴とする昇降便器。
【請求項２】
前記伸縮部は複数の板状部材の連結により構成されるシャッターであることを特徴とする、請求項１に記載の昇降便器。
【請求項３】
前記伸縮部は巻取り式のロールスクリーンであることを特徴とする、請求項１に記載の昇降便器。
【発明の詳細な説明】
【技術分野】
【０００１】
本発明は、トイレに設置する昇降便器に関する。
【背景技術】
【０００２】
便器と可動フレームと固定フレームで構成され、便器を昇降可能とする昇降便器が従来から知られている（例えば、特許文献１及び特許文献２参照）。そして、このような昇降便器は、便器の排水管が貫通する開口部を設けたキャビネットに可動フレーム及び固定フレームを収容する構造を一般的に有している。
【０００３】
この開口部を隠す構造については、キャビネットを上ケース(可動ケース)と下ケース(固定ケース)で構成し、上ケースに開口部を設け、開口部を便器本体で隠す構造が知られている。具体的には、特許文献１に記載されたように、昇降便器の収容部が床固定の下ケースと可動式の上ケースとで構成され、上ケースに点検用開口を設け、排水配管を貫通させるようになっている。
【０００４】
一方、開口部を隠す別の構造として、便器上方に可動式の目隠し板を設ける構造が知られている。具体的には、特許文献２に記載されたように、昇降便器の収容部前面に便器と可動フレームとの連結部を貫通させる開口部を設け、連結部上方に設けられた目隠し板で開口部を目隠しするようになっている。即ち、表面材（固定板）と目隠し板が重なって配置されている。
【特許文献１】特開平１０−２４５８８０号公報（段落（００５２）、（００５４）、図１）
【特許文献２】特開平１−２３５７３９号公報（２頁、第１図）
【発明の開示】
【発明が解決しようとする課題】
【０００５】
特許文献１に記載の昇降便器は、便器の上昇に伴ってキャビネットも上昇するようになっている。そのため、昇降便器の施工時にキャビネットの裏面とトイレの後壁面との間に摺動音防止のための隙間を設けなければならない。しかしながら、このような隙間があると、この隙間にゴミや埃が入り定期的に清掃しなければならず手間がかかると共に、幼児が誤って指を挟んだりする虞がある。また、キャビネット自体も便器の昇降に伴って昇降するので見栄えが悪いばかりでなく、キャビネットの天板に載せた花瓶等が昇降時に落下する虞がある。また、便器の昇降ストロークが大きいと、便器及びキャビネットの上昇に伴ってキャビネットの便器下方部分に開口部が生じてしまう。
【０００６】
一方、特許文献２に記載の昇降便器は、便器の昇降に伴ってキャビネットは上昇しないが、便器の昇降ストロークが大きくなると、便器が上限位置にある場合、便器下部においてキャビネットとの間に開口部が生じてしまう。
【０００７】
即ち、これらの従来型の昇降便器は、キャビネットの便器と可動フレームとの連結部下方に目隠し構造を備えておらず、便器の上昇によりこの部分に開口部が生じキャビネット内部が見えてしまう。
【０００８】
このように便器の上昇に伴って便器下側とトイレ床面との間に開口部が生じてキャビネット内部が見えてしまうと、見栄えが悪いばかりか、このキャビネット内部にトイレ床面のゴミや埃等が入り、清掃作業が必要になると共に、キャビネット内部の便器昇降装置にこれらのゴミや埃が付着して便器の昇降に悪影響を与える虞がある。
【０００９】
また、このような開口部は、その下縁がトイレ床面と略同一の高さになっているので、物が開口部を通してキャビネット内に入り易いと共に、キャビネットの便器下側とトイレ床面との間に開口部が形成されるので、トイレ使用中にキャビネット内部を見ることは難しく、一旦物が入るとそれを見つけるのが非常に難しいという問題もある。
【００１０】
また、このような開口部に子供が手を突っ込んだまま悪戯半分で便器を降下させたりすると、その手を挟んでしまう虞もある。このような手挟みは用足し後に便器が自動的に所定位置（ホームポジション）に戻る昇降便器であって、このホームポジションを昇降高さの下限若しくはその近傍に設定した場合に起こり易くなる。
【００１１】
また、上述したホームポジションを下限位置若しくは近傍に設定した昇降便器の場合、用足し後の急な体調不良により使用者がトイレ床面に倒れたりした場合、足がキャビネットの開口部内に入り込んでしまうと便器が降下して足が挟まれてしまう虞がある。
【００１２】
そして、便器上昇に伴ってキャビネット内部が見えないようにするには、昇降便器の構造上、便器の昇降ストロークを十分大きく確保できなくなり、例えば子供や小柄な女性が便器をかなり低くして用足しすると共に、大柄な男性が便器をかなり高くして小便をするような使い方に対応することができず、使い勝手が悪くなる。
【００１３】
なお、このような開口部がキャビネットの便器とトイレ床面との間に形成されないようにするために、便器が上限位置にあっても開口部を隠す目隠し板であって便器と一体化して昇降する目隠し板を設ける対策も考えられる。しかしながら、このような対策をとると、便器が下限位置にある際に目隠し板を収容できるようにトイレの床下を施工し直さなければならず、現実問題として好ましい対策とはいえない。
【００１４】
本発明の目的は、昇降上限位置から下限位置の間の何れの位置に便器がある場合でも、キャビネット（収容部）の前面であって便器底部とトイレ底面との間に開口部が形成されず、キャビネット前面からキャビネット内部が見えることのない昇降便器を提供することにある。
【課題を解決するための手段】
【００１５】
上述した課題を解決するために、本発明の請求項１に係る昇降便器は、
便器と、
前記便器の後方に設けられた排水配管と、
前記便器の後方において当該便器を固定する可動フレームと、
前記便器と前記可動フレームを昇降可能に支持する固定フレームと、
前記可動フレームと前記固定フレームを収容する収容部と、を備え、
前記収容部の便器側には前記可動フレームに取付けられる前面部が備わり、
前記収容部の前面部には前記排水配管の便器側端部を前記便器と連結可能にすると共に、前記便器の昇降に応じて移動する貫通孔が形成され、かつ
前記前面部は少なくとも前記排水配管より下方に前記便器の昇降と共に伸縮する伸縮部を備えていることを特徴としている。
【発明の効果】
【００１６】
本発明によると、昇降上限位置から下限位置の間の何れの位置に便器がある場合でも、キャビネット（収容部）の前面であって便器底部とトイレ底面との間に開口部が形成されず、キャビネット前面からキャビネット内部が見えることのない昇降便器を提供することができる。
【発明を実施するための最良の形態】
【００１７】
本発明を実施するための最良の形態を説明するのに先立って、本発明の作用及び効果について説明する。本発明に係る昇降便器は、便器と、便器の後方に設けられた排水配管と、便器の後方において便器を固定する可動フレームと、便器と可動フレームを昇降可能に支持する固定フレームと、可動フレームと固定フレームを収容する収容部と、を備え、収容部の便器側には可動フレームに取付けられる前面部が備わり、収容部の前面部には排水配管の便器側端部を便器と連結可能にすると共に、便器の昇降に応じて移動する貫通孔が形成され、かつ前面部は少なくとも排水配管より下方に便器の昇降と共に伸縮する伸縮部を備えている。
【００１８】
本発明に係る昇降便器がこのような構成を有することで、便器後方に設けられた収容部（以下、「キャビネット」とする）の前面であって便器の排水配管下方に伸縮式の目隠し構造を設けることができる。
【００１９】
これによって、便器が上昇することでキャビネットの便器底部とトイレ床面との間に生じる開口部を収容部の前面に備わった伸縮部（シャッター）が塞ぎ、トイレ床面にある物やゴミ、ホコリ等がキャビネット内に入り込むことはない。そのため、この開口部からキャビネット内の清掃を行なう必要がない。
【００２０】
また、従来のようにキャビネット内に入ったゴミやホコリで便器昇降装置の昇降駆動部に悪影響を与えることもない。
【００２１】
また、便器底部とトイレ床面との間に生じた外部から見難いキャビネットの開口部にトイレ床面に置いた物が入り込んで、それを探すのに手間取るようなことがなくなる。
【００２２】
また、便器底部とトイレ床面との間に子供が手を突っ込んだまま悪戯半分で便器を降下させたりしてその手を挟むような虞もない。
【００２３】
また、用足し後に便器が自動的に所定位置（ホームポジション）に戻る昇降便器であって、このホームポジションを昇降高さの下限位置に設定した場合に、用足し後の急な体調の不良により使用者がトイレ床面に倒れたりしても、従来のように足がキャビネットの開口部内に入り込んだまま便器がホームポジションに向かって下降することで足が挟まれてしまうようなことがない。
【００２４】
また、便器と一体化した目隠し板であって便器の下降時にトイレ床面よりも更に下方に下降する目隠し板を設ける必要がないので、トイレ床下の特別な施工工事を必要としない。
【００２５】
また、便器と共にキャビネット自体も昇降する従来型の昇降便器のようにキャビネットの天板上に載せた花瓶等が昇降時に落下する虞がない。
【００２６】
好ましくは、伸縮部が複数の板状部材の連結により構成されるシャッターであるのが良い。伸縮部をシャッター等の硬質の材料で構成することで、伸縮部に衝撃が加わった時でもキャビネットの内部を保護することができる。
【００２７】
また、好ましくは、本発明に係る昇降便器は、伸縮部は巻取り式のロールスクリーンであるのが良い。収容部の前面の伸縮部を一枚のスクリーンで構成することができるので、この部分に段差が生じることがなくなり、清掃性に優れる。
【００２８】
以下、本発明の一実施形態に係る昇降便器について図面に基づいて詳細に説明する。なお、以下の説明において、上下、高さ、幅、内側、外側等の表現は昇降便器をトイレに設置した状態を基準として用いるものとする。
【００２９】
図１は、本発明の一実施形態に係る昇降便器１を示す斜視図である。また、図２は、図１に示した昇降便器１の便器２０が下限位置にある状態を示す正面図である。また、図３は、図１に示した昇降便器１の便器２０が上限位置にある状態を示す正面図である。
【００３０】
本発明の一実施形態に係る昇降便器１は、便器２０と、便器２０の後方に設けられた蛇腹状排水管（排水配管）３０（図４参照）と、便器２０を支持すると共に昇降させる便器昇降装置（以下、単に「昇降装置」とする）４０（図１０参照）と、昇降装置４０を収容するキャビネット（収容部）５０を備え、キャビネット５０の前面には固定パネル２００と昇降パネル３００とシャッター１００が備わっている。
【００３１】
昇降パネル３００は、便器２０の昇降に応じて移動すると共に、シャッター１００の上部と協働して貫通孔を形成する切欠き３０２（図４及び図５参照）が備わっている。そして、このシャッター１００の上部と昇降パネル３００の切欠き３０２とで形成される貫通孔は、蛇腹状排水管３０の便器側端部３１（図４参照）を便器２０に連結可能とするようになっている。
【００３２】
シャッター１００は、トイレ床面に昇降便器１を設置した状態で便器２０が上昇した際に生じる便器底部２１とトイレ床面とに生じる間のキャビネット５０の開口部を塞ぐ役目を果たしている。
【００３３】
キャビネット５０は、両脇に縦長の小物収納部５１を備えると共に、上部に天板５２を備え、側部に側板５３を備えている。そして、キャビネット５０の前面の両側には小物収納部５１に小物を出し入れする縦長の開閉扉５５が備わっている。各開閉扉の間には上述したように昇降装置４０の前面を覆う固定パネル２００と昇降パネル３００とシャッター１００が備わっている。
【００３４】
なお、固定パネル２００は昇降パネル３００よりも便器側に備わり、昇降パネル３００は、便器２０の昇降に合わせて便器２０と一体に昇降するようになっている。また、シャッター１００は、昇降パネル３００の下側とキャビネット５０の底部との間に伸縮可能に配置され、便器２０を上昇させても便器底部２１とトイレ床面との間にキャビネット５０の開口部が生じないようになっている（図２に示す状態から図３に示す状態への変化を参照）。
【００３５】
図４は、図１に示した昇降便器１から便器２０を取り去った状態を示す斜視図である。図４から明らかなように、昇降パネル３００の切欠き３０２からは便器取付け用のボルト４３５が２本突出すると共に、便器２０の排水口に接続される側面視略Ｌ字型の蛇腹状排水管３０が突出している。なお、蛇腹状排水管３０の他方の端部には伸縮自在なテレスコタイプの排管（図示せず）が備わり、便器２０がどのような高さにあろうとも便器内の汚物を床下の排水管（図示せず）に常に排水するようになっている。
【００３６】
図５は、図４に示した昇降便器１の天板５２と小物収納部５１を除いた状態を便器２０と共に示す図である。図４とは異なり、天板５２が昇降装置４０から外されているため、昇降装置４０の上部に配置された貯水タンク４５０（蓋は図示していない）を確認することができる。なお、貯水タンク４５０は、後述する可動フレーム４３０の上部に付けられ、可動フレーム４３０の昇降に合わせて昇降装置内を昇降するようになっている。
【００３７】
なお、図５は、便器２０が上限位置に達した状態の昇降装置４０を示しており、シャッター１００が伸びて最も拡がっていると共に、昇降パネル３００の一部が固定パネル２００の裏側に進入している。なお、図５においては、上述の通り昇降装置両脇に仕切り板４５５のみを備えた状態を示し、小物収納部５１を示していない。小物収納部５１は、トイレットペーパーや便器洗浄用の洗剤、ブラシ、生理用品等を収容するためのものであるが、本発明においては必ずしも必須の構成要件ではない。
【００３８】
図６は、図５に示した固定パネル２００の裏面を示す平面図である。図６から分かるように、固定パネル２００の裏面上部には２つの固定パネル取付け用弾性板２１１，２１２が所定間隔隔ててビス等の締結具で取付けられると共に、中央部分にも２つの固定パネル取付け用弾性板２１３，２１４が上側の固定パネル取付け用弾性板２１１，２１２よりも狭い間隔でビス等の締結具により取付けられている。
【００３９】
昇降装置４０は、図１０に示すようにボルト締めで床面に固定する固定部４２５を備えた固定フレーム４２０と、固定フレーム４２０に昇降可能に支持された可動フレーム４３０とを備えている。そして、昇降装置４０の両側面には、昇降便器１の小物収納部５１から昇降装置４０の昇降機構部に使用者の手が入らないようにする仕切り板４５５が取付けられている。
【００４０】
なお、図３０に示すように、一方の仕切り板４５５の上部には下方に向かう縦長の切欠き４５５ａが形成され、貯水タンク４５０に取り付けられた図示していない洗浄レバーとの干渉を避けるようになっている。また、一方の仕切り板４５５の前方部分には上方一部を残した幅狭の切欠き４５５ｂが形成され、便器２０の上昇と共に、昇降パネル３００が上昇した際に昇降パネル３００と仕切り板４５５との干渉を避けるようになっている。また、他方の仕切り板４５６にも給水用配管との干渉を避ける切欠き４５６ａが備わっている。
【００４１】
固定フレーム４２０には、ここでは詳細には説明しないが、可動フレーム４３０を昇降させるガイド部及び駆動モータ、便器２０の昇降を制御する制御ボックスが備わっている。また、可動フレーム４３０の上部には上述の通り貯水タンク４５０等が備わっている。そして、可動フレーム４３０は、固定フレーム４２０のガイド部に沿って昇降可能に固定フレーム４２０に支持されており、可動フレーム４３０の前面には便器２０の後方凹部２２と図示しないナットを介して結合する２本のボルト４３５が突出している。
【００４２】
また、固定フレーム４２０には固定パネル２００が取り外し可能に備わり、可動フレーム４３０には昇降パネル３００が取り外し可能に備わると共に、可動フレーム下部にはシャッター１００の上部が固定されている。
【００４３】
便器２０は陶器でできており、便器上面にはここでは図示しない温水洗浄便座が設けられている。温水洗浄便座には、制御コントローラを内蔵した操作スイッチ部が備わり、使用者が用足し後に局所温水洗浄を行なうことができるようになっている。
【００４４】
トイレの側壁部又はカウンタ等には、ここでは図示しないが使用者のトイレ内での使用態様や好みに合わせて昇降便器１の便器自体を昇降させたり、便器不使用時の便器２０の高さ（ホームポジション）を設定したりする便器昇降操作スイッチが備わっている。この便器昇降操作スイッチは、便器昇装置内部の制御ボックスに電気的に接触式又は非接触式で繋がっており、両者間で双方向通信又は片方向通信を可能としている。
【００４５】
図７は、図５に示した昇降装置４０の固定パネル２００を取り外した状態で示す斜視図であり、これによって昇降パネル３００の前面形状を理解することができる。図７から明らかなように、昇降装置４０の固定フレーム４２０の最上部に備わった第１の横桟４２０ａには、平面視角型Ｕ字状に折曲し両端部が第１の横桟４２０ａにビス等の締結具で取付けられた固定パネル取付け部４２１，４２２が所定間隔隔てて備わっている。また、昇降装置４０の固定フレーム４２０の上部に備わった第２の横桟４２０ｂにも、平面視角型Ｕ字状に折曲し両端部が第２の横桟４２０ｂにビス等の締結具で取付けられた固定パネル取付け部４２３，４２４が所定間隔隔てて備わっている。なお、固定パネル取付け部４２１，４２２，４２３，４２４と固定パネル２００との具体的な取付けの仕方については後述する。
【００４６】
また、図７において昇降パネル３００の上縁には昇降装置４０の第２の横桟４２０ｂから前方に突出した固定パネル取付け部４２３，４２４との干渉を避けるための幅が広く浅い切欠き３０１が形成されている。なお、図７も便器２０が上限位置にある昇降装置１を示している。
【００４７】
また、昇降パネル３００の下縁には矩形状の切欠き３０２が形成されている。また、上述の通り切欠き３０２を介して便器取付け用のボルト４３５を突出させると共に、蛇腹状排水管３０の便器２０との接続部を突出させるようになっている。そして、切欠き３０２の上縁中央部３０２ａは半円状に更に切欠かれ、給水パイプ２６の開口部を露出させるようになっている。
【００４８】
図８は、図７に示した昇降パネル３００を裏側から示す正面図である。図８の上部に形成された切欠き３０１の側縁近傍には、図１０に示す上側の昇降パネル上側取付け部４３１，４３２の上端に係合する昇降パネル取付け用弾性板３１１，３１２が所定間隔を隔てて備わっている。また、昇降パネル３００の下方の切欠き３０２の側縁近傍には、図１０に示す下側の昇降パネル下側取付け部１８３，１８４に係合する昇降パネル取付け用弾性板３１３，３１４が所定間隔を隔てて備わっている。
【００４９】
図９は、図７に示した昇降装置の貯水タンク４５０を取り外した状態を示す斜視図である。
【００５０】
図１０は、図７に示した昇降装置４０の昇降パネル３００を外して示す斜視図であり、前述した構造となっている。なお、図１０も、便器２０が上限位置に達した状態、即ち可動フレーム４３０が上限位置に達して可動フレーム４３０の下端に固定されたシャッター１００が最も伸びた状態となっている。固定フレーム４２０には上述したようにここでは詳細に図示しないガイド部に沿って昇降する可動フレーム４３０が備わっている。可動フレーム４３０には前述した便器取付け用の２本のボルト４３５が可動フレーム４３０の前面に取付けられると共に、蛇腹状排水管３０の便器側端部３１が突出するようにブラケットを介して取付けられている。また、可動フレーム４３０の上部の横桟４３０ａには上方に突出し上端が前方に向かって側面視Ｌ字状に折曲した昇降パネル上側取付け部４３１，４３２が備わっている。
【００５１】
図１１は、図８に示した昇降パネル３００の下側部分の固定状態をパネル裏側から示す斜視図である。また、図１２は、図１１に示した固定状態をより詳細に示す側面図である。可動フレーム４３０の下側には、可動フレーム４３０の下側の横桟４３０ｂ（図３１参照）に取付けられる横長の目隠し板１８０が取付けられる。目隠し板１８０は上縁の長手方向かなりの部分がキャビネット内方に所定幅で折り曲げられ、上面１８０ａを形成している。そして、この上面１８０ａの一部から昇降パネル取付け用弾性板３１３，３１４に係合する昇降パネル下側取付け部１８３，１８４が起立している。また、昇降パネル下側取付け部１８３，１８４の内側には、段部１８５，１５６（図１３参照）を介してキャビネット前方に若干ずれて位置した排水管目隠し部１８７，１８８が起立している。
【００５２】
そして、昇降パネル３００を上方から垂直下方にずらすことで、図１１に示すように昇降パネル３００の下端３００ｄが目隠し板１８０の上面１８０ａの一部に当接すると共に、図１２に示すように下側の昇降パネル取付け用弾性板３１３（３１４）のテーパ部３１３ｂ（３１４ｂ）と昇降パネル３００の裏面３００ｂとの間に入り込んで下側の昇降パネル取付け用弾性板３１３（３１４）の弾性力を介して昇降パネル３００を目隠し板１８０に取付けると共に、昇降パネル３００の上側の昇降パネル取付け用弾性板３１１，３１２と昇降パネル３００の裏面３００ｂとで昇降パネル上側取付け部４３１，４３２を挟み込み、昇降パネル３００が前後にずれないようにしている。この際、昇降パネル３００がシャッターと面一になるように取付けることが好ましい。また、上述のように目隠し板１８０の昇降パネル下側取付け部１８３，１８４と排水配管目隠し部１８７，１８８との間に段部１８５，１８６が形成されているので、この段部１８５，１８６が昇降パネル３００の下側切欠き３０２の側縁部を案内して、昇降パネル取付け用弾性板３１３，３１４と昇降パネル下側取付け部１８３，１８４とを幅方向に合致させて係合させることが可能である。なお、固定パネル２００の固定パネル取付け用弾性板２１１〜２１４の固定パネル取付け部４２１〜４２４に対する取付け構造も上述した昇降パネル取付けの構造と同様である。
【００５３】
続いて、本発明の要旨であるシャッター１００の構造について詳細に説明する。図１３は、図１乃至図５、図７、図９、図１０に示したシャッター１００の斜視図であり、目隠し板１８０をシャッター上部に備えた形で示している。また、図１４は、図１３に示したシャッター１００を目隠し板１８０と共にシャッター裏側から示した斜視図である。また、図１５は、図１４に示したシャッター１００の伸縮機構を拡大して示す斜視図である。また、図１６は、図１３乃至図１５に示したシャッター１００を可動フレーム４３０に取付けた後であって目隠し板１８０を可動フレーム４３０に取付ける前の状態を示す斜視図である。また、図１７は、図７に示した昇降パネル３００と目隠し板１８０及び図１３乃至図１５に示したシャッター１００との結合関係をシャッター裏側から示した斜視図である。また、図１８は、シャッター１００のシャッター下側取付け部１９０をこれが取付けられる固定フレーム４２０の固定部４２５と共に示す斜視図である。
【００５４】
シャッター１００は、図１３乃至図１５に示すように複数（本実施形態では５枚）の細長の遮蔽板１１０〜１５０を互いに幅方向に連結した形態を有しており、最上部の遮蔽板１１０の側面視でＬ字状に折曲した目隠し板１８０が上側に配置される関係となっている。また、シャッター１００は、最下部のシャッター下側取付け部１９０にシャッター１００を固定フレーム４２０に取付ける取付け片１９１を備えている。（図１８参照）また、シャッター下側取付け部１９０には幅方向全体に亘って、前方に側面視Ｌ字型を掃除用具などが接触した際に不快な金属音が発生しないように起立板１７０（図１３参照）が備わっている。この起立板１７０は不快な接触音が発生しない部材であれば、木材や樹脂材など材質は適宜選択してよい。
【００５５】
図１４に示すように最上部の第１の遮蔽板１１０に一部が重なる目隠し板１８０は、上述したように上部がキャビネット内方に折れ曲がり細長の上面１８０ａをなすと共に、上面１８０ａのキャビネット内方端部にキャビネット内の蛇腹状排水管３０の開口部が突出するのに充分な間隔を有する２つの起立部が突出している。
【００５６】
また、第１の遮蔽板１１０の上縁からはキャビネット内方に向かって側面視Ｌ字型のシャッター上側取付け部１１９が備わり、シャッター上側取付け部１１９の取付け孔１１９ｂを介してビスとの締結具で第１の遮蔽板１１０を可動フレーム４３０の下側の横桟４３０ｂに取付けるようになっている。また、第１の遮蔽板１１０のシャッター上側取付け部１１９の略中央には上縁を開口とする矩形状の切欠き１１９ａが備わり、可動フレーム４３０の便器受け部４３９がこの部分から突出するようになっている。
【００５７】
目隠し板１８０の上面１８０ａの起立部は、上述したように平面視で段部１８５，１８６が設けられ、段部１８５，１８６を挟んで外側の起立部が昇降パネルの裏側下端近傍に備わった昇降パネル取付け用弾性板３１３，３１４に係合する昇降パネル下側取付け部１８３，１８４を成すと共に、内側の起立部が排水管目隠し部１８７，１８８を成している。そして、段部１８５，１８６に昇降パネル３００の下端の切欠き３０２の開口側縁部が係合するようになっている。また、上面１８０ａにおける段部１８５，１８６の幅方向内側には昇降パネル３００の下端が当接するようになっている。
【００５８】
シャッター１００の下側のシャッター下側取付け部１９０は、図１８に示すように側面視でＬ字状をなした細長の板材からなり、起立部１９０ｂの上端が第５の遮蔽板１５０と後述する構造で伸縮自在に連結するようになっている。また、シャッター下側取付け部１９０の底面部１９０ａの両端には、シャッター１００を固定フレーム４２０に取付けるための取付け片１９１が延在し、取付け片１９１の略中央に形成された取付け孔１９１ａを介してシャッター下側取付け部１９０を固定フレーム４２０にビス等の締結具で取付けるようになっている。また、シャッター下側取付け部１９０の底面部１９０ａの中央部には高さの低い幅広の起立部１９２が形成されている（図１７参照）。起立部１９２は、固定フレーム下端部に当接されてシャッター１００が幅方向に歪まないようにすると共に、シャッター下側取付け部１９０の剛性を維持する役目を果たしている。
【００５９】
本実施形態で５枚幅方向に並んで連結された遮蔽板１１０〜１５０は、図１４及び図１５に示すように可動フレーム４３０（図１０参照）に取付けられる第１の遮蔽板１１０と、この第１の遮蔽板１１０に順次下方向に向かって連結される第２乃至第５の遮蔽板１２０〜１５０から構成されている。
【００６０】
図１４に示すように、第１の遮蔽板１１０には、キャビネット内側に向かって折り曲げられ、かつその端部が上方に延在したシャッター上側取付け部１１９が形成されている。シャッター上側取付け部１１９の上縁の中央には幅広の切欠き１１９ａが設けられ、可動フレーム４３０の便器当て部４２８と干渉しないようになっている。また、切欠き１１９ａの両側には第１の遮蔽板１１０を可動フレーム４３０に取付けるための取付け孔１１９ｂが形成され、第１の遮蔽板１１０を可動フレーム４３０にビス等の締結具でしっかりと取付けるようになっている。
【００６１】
なお、以下に説明する連結ピン挿入孔の孔径は連結ピンの外径よりも若干大きく形成され、便器２０が下降して遮蔽板同士が重なり合う際に遮蔽板同士の横方向のずれを最小限に押さえつつスムーズに重なるようになっている。
【００６２】
第１の遮蔽板１１０の上縁には第２の遮蔽板１２０との連結片１１１（１１２）がキャビネット内側に向かって所定間隔隔てて突出形成されている。そして、第１の遮蔽板１１０の連結片１１１（１１２）からは連結ピン１１５（１１６）が下方に向かって延在している。連結ピン１１５（１１６）の長さは、便器２０が上限位置にあってシャッター１００が伸びた状態で後述する第２の遮蔽板１２０の外側連結片１２３（１２４）のピン挿入孔１２３ａ（１２４ａ）に連結ピン１１５（１１６）の下端が挿入係合された状態を維持する程度の長さである。なお、以下に説明する各遮蔽板に備わる連結ピンの長さもこれと同様の作用を発揮する長さである。
【００６３】
第２の遮蔽板１２０の上縁には第１の遮蔽板１１０の連結ピン１１５（１１６）の下端と係合する位置に上述した外側連結片１２３（１２４）が所定間隔隔てて突出形成されると共に、外側連結片１２３（１２４）の内側に隣接して内側連結片１２１（１２２）がキャビネット内方に突出形成されている。第２の遮蔽板１２０の内側連結片１２１（１２２）からは下方に向かって第１の遮蔽板１１０の連結ピン１１５（１１６）と同等の連結ピン１２５（１２６）が延在し、第３の遮蔽板１３０の外側連結片１３３（１３４）のピン挿入孔１３３ａ（１３４ａ）に挿入係合されるようになっている。
【００６４】
第３の遮蔽板１３０の外側連結片１３３（１３４）の内側近傍にも第２の遮蔽板１２０との同等の内側連結片１３１（１３２）が突出形成され、第４の外側連結片１４３（１４４）のピン挿入孔１４３ａ（１４４ａ）に挿入係合する連結ピン１３５（１３６）が下方に向かって備わっている。
【００６５】
なお、シャッター下側取付け部１９０の上縁にも連結ピン１５５，１５６を挿入するためのピン挿入孔１９３ａ（１９４ａ）が形成された連結片１９３（１９４）が備わっている。
【００６６】
以下、第４及び第５の遮蔽板１４０，１５０も第２及び第３の遮蔽板１２０，１３０と同等の構成を有している。即ち、第１の遮蔽板１１０の連結片１１１（１１２）及び第２乃至第５の遮蔽板１２０〜１５０の内側連結片１２１（１２２）〜１５１（１５２）の間隔は上側から下側に向かって狭まるように形成され、各遮蔽板１２０〜１５０の外側連結片１２３（１２４）〜１５３（１５４）及びシャッター下側取付け部１９０の連結片１９３（１９４）の間隔も上側から下側に向かって狭まるように形成されている。そして、便器２０が下降して遮蔽板同士が重なり合い、シャッター１００が縮んだ状態になっても、各連結ピン同士が干渉しないようになっている。
【００６７】
続いて、シャッター１００と固定パネル２００及び昇降パネル３００並びに便器２０の昇降装置４０への組み付け工程（以下、単に「工程」とする）について説明する。
【００６８】
まず、この工程を行なう前に排水用蛇腹管３０や貯水タンク４５０が備わった昇降装置４０を用意する。
【００６９】
昇降装置４０はまず、床面に固定され、固定フレーム４２０のトイレ後壁結合部４２９をボルト等を介してトイレ後壁に取付けられる。その後、配管と接続され、貯水タンク４５０が取り付けられる。その後に仕切り板４５５を取り付ける。
【００７０】
続いて、第1の工程としてシャッター１００を昇降装置４０に組み付ける。この工程においては、シャッター１００の第１の遮蔽板１１０を昇降装置４０の可動フレーム４３０にネジ等の締結具を介して取付ける。これと同時にシャッターの第５の遮蔽板１５０の下側に連結されたシャッター下側取付け部１９０の両脇の取付け片１９１を固定フレーム４２０の下端部に位置合わせし、取付け片１９１に形成された取付け孔１９１ａを介して図示しないネジ等の締結具で固定する（図１８参照）。
【００７１】
これによって、可動フレーム４３０の昇降に応じて各遮蔽板の連結ピンの隣接する遮蔽板の連結片のピン挿入孔への挿入係合量が変化して各遮蔽板同士の重なり量が変化し、シャッター１００を伸縮させる。即ち、便器取付け状態で便器２０が下限位置にある場合は、図２に示すように遮蔽板１１０〜１５０が重なり合ってシャッター１００が縮んだ状態となる。また、便器取付け状態で便器２０が上限位置にある場合は、図３に示すように隣接する遮蔽板１１０〜１５０の重なり度合いが最小限となってシャッター１００が伸びた状態となる。
【００７２】
続く工程として、目隠し板１８０を可動フレーム４３０に取付ける。この際、シャッター１００の上縁が目隠し板１８０の下縁と重なり、目隠し板１８０の幅方向端部がシャッター１００の幅方向端部と一致し、目隠し板１８０の切欠き１８２から可動フレーム４３０に備わった便器当て部４２８が露出するように位置合わせし、目隠し板１８０の上面１８０ａに備わった取付け孔１８０ｂを介して可動フレーム４３０の横桟４３０ｂにビス等の締結具で取付ける。
【００７３】
続いて、昇降パネル３００を上方から下方にずらして昇降パネル３００を可動フレーム４３０に取付ける。この際、昇降パネル３００の下側の昇降パネル取付け用弾性板３１３，３１４が目隠し板１８０の起立部の外側部分に位置する昇降パネル下側取付け部１８３，１８４にそれぞれ係合すると共に、可動フレーム４３０から上方に延在した昇降パネル上側取付け部４３１，４３２の上端に昇降パネル３００の上側に備わった昇降パネル取付け用弾性板３１１，３１２が係合するように取付ける。これによって、可動フレーム４３０の昇降に伴って昇降パネル３００が可動フレーム４３０と一体となって昇降するようになる。
【００７４】
続いて、固定フレーム４２０に固定パネル２００を取付ける。この際、固定フレーム最上部の第１の横桟４２０ａに備わった固定パネル取付け部４２１，４２２に固定パネル裏側の上側に備わった固定パネル取付け用弾性板２１１，２１２を係合させると共に、第１の横桟４２０ａより若干下側に位置した第２の横桟４２０ｂに備わった固定パネル取付け部４２３，４２４に固定パネル２００の下側に備わった固定パネル取付け用弾性板２１３，２１４を係合させる。
【００７５】
固定フレーム４２０の固定パネル取付け部４２１〜４２４は、可動フレーム４３０の昇降パネル下側取付け部１８３，１８４及び昇降パネル上側取付け部４３１，４３２よりも前方に突出しているので、固定パネル２００を固定フレーム４２０の固定パネル取付け部４２１〜４２４に取付けることで、固定パネル２００の下側一部が昇降パネル裏側の下方に位置するように、即ち昇降パネル３００の上部が固定パネル２００の下部裏側に一部入り込むように取付けられる。
【００７６】
続いて、仕切り板４５５の両側に小物収納部５１、開閉扉５５を取付ける。そして、昇降装置４０及び小物収納部５１、開閉扉５５、側板５３の上面に天板５２を取付ける。以上の組み付け工程によって、昇降便器１のトイレへの設置を終える。
【００７７】
なお、上述したように固定パネル２００は固定パネル取付け用弾性板２１１〜２１４を介して固定フレーム４２０の固定パネル取付け部４２１〜４２４に取り外し可能に取付けられ、昇降パネル３００も昇降パネル取付け用弾性板３１１〜３１４を介して昇降パネル上側取付け部４３１，４３２及び昇降パネル下側取付け部１８３，１８４に取り外し可能に取付けられる。即ち、固定パネル２００及び昇降パネル３００を昇降装置４０から簡単に取り外すことができ、昇降装置４０の内部の点検や清掃を容易に行なうことができる。
【００７８】
続いて、以上のような構造を有する昇降便器１の作用について説明する。本実施形態に係る昇降便器１がこのような構成を有することで、便器後方に設けられたキャビネット５０の前面であって、便器２０の排水配管下方に伸縮式の目隠し構造を設けることができる。
【００７９】
これによって、便器２０が上昇する際に便器底部２１とトイレ床面との間に生じるキャビネット５０の開口部をシャッター１００が塞ぎ、トイレ床面にある物やゴミ、ホコリ等がキャビネット内に入り込むことがなくなる。そのため、このような開口部からキャビネット内の清掃を行なう必要がない。また、従来のようにキャビネット内に入ったゴミやホコリで昇降装置４０の昇降駆動部に悪影響を与えることはない。また、便器底部２１とトイレ床面との間に生じた外部から見難いキャビネットの開口部にトイレ床面に置いた物が入り込んで、それを探すのに手間取るようなことがなくなる。また、便器底部２１とトイレ床面との間に子供が手を突っ込んだまま悪戯半分で便器を降下させたりしてその手を挟む虞もない。また、用足し後に便器が自動的に所定位置（ホームポジション）に戻る昇降便器であって、このホームポジションを昇降高さの下限位置に設定した場合に、用足し後の急な体調の不良により使用者がトイレ床面に倒れたりしても、従来のように足がキャビネットの開口部内に入り込んだまま便器がホームポジションに向かってこの足が挟まれてしまうようなことがない。また、便器と一体化して便器の下降時にトイレ床面よりも更に下方に下降する目隠し板を設ける必要がないので、トイレ床面の床下の特別な施工工事を必要としない。
【００８０】
なお、本発明の発明者は実際に試作品を作成し、上述の効果を確認した。具体的には、上述の実施形態に対応する試作品として、便器上限位置においてシャッター上端から床面までが２４７．５ｍｍで、かつ便器下限位置においてシャッター上端から床面までが１０７．５ｍｍとなった。また、上述の第２変形例に対応する試作品として、便器上限位置においてシャッター上端から床面までが３０１ｍｍで、かつ便器下限位置においてシャッター上端から床面までが１６１ｍｍとなった。
【００８１】
即ち、本発明によるこのような便器昇降ストロークの大きい昇降便器でも、シャッターでキャビネットの開口部を塞ぐことができた。そして、従来の昇降便器の構造では達成し得ない本発明の効果を確認することができた。
【００８２】
続いて、本実施形態の第１及び第２変形例について説明する。なお、これらの変形例に関して上述した実施形態と同等の構成については、対応する符号を付して詳細な説明を省略する。
【００８３】
まず、上述の実施形態の第１変形例について説明する。図１９は、本発明の一実施形態の第１変形例を示す斜視図である。また、図２０は、図１９に示した第１変形例のシャッター５００を表側から示す斜視図である。また、図２１は、図１９に示した第１変形例のシャッター５００を裏側から示す斜視図である。また、図２２は、図２１に示したシャッター５００の伸縮機構を部分的に拡大して示す斜視図である。
【００８４】
この第１変形例は固定パネル８００が上側固定パネル８１０と下側固定パネル８２０からなり、上側固定パネル８１０にはその下端部から便器２０の取付け用のボルトや蛇腹状排水管３０、給水パイプ２６、可動フレーム４３０の便器受け部４３９との干渉を防ぐ矩形状の大きな切欠き８１１が備わっている。また、下側の固定パネルは、その上縁から半円状の大きな切欠き８２１が備わっている。そして、切欠き８２１の内側にシャッター５００が備わっている。
【００８５】
シャッター５００は、細長い遮蔽板５１０〜５７０を幅方向に連結させて構成している点では上述の実施形態と共通しているが、図２０に示すように各遮蔽板自体の長さがシャッター上部から下部に向かって段階的に短くなっている点で上述の実施形態と異なっている。また、遮蔽板５１０の上部にはシャッター上部取付け用プレート５８０が備わり、このシャッター上部取付け用プレート５８０の上部には可動フレーム４３０から突出する蛇腹状排水管３０との干渉を防ぐ幅広の切欠き５８１が形成されると共に、この切欠き５８１の下縁略中央に便器受け部４３９との干渉を防ぐ幅の狭い切欠き５８２が更に形成されている。そして、切欠き５８２の両脇に２つずつ取付け孔５８３が形成され、ビス等の締結具（図２０において左側にのみ図示）を介してシャッター上部取付け用プレート５８０を可動フレーム４３０の横桟４３０ｂに取付けるようになっている。
【００８６】
遮蔽板５１０〜５７０は、上述したように長さの最も長い第１の遮蔽板５１０から長さの最も短い第７の遮蔽板５７０まで段階的に長さが変化している。また、遮蔽板５１０〜５７０の両端部近傍には各遮蔽板の幅方向を長手方向とするスリット５１１〜５７１がそれぞれ形成されている。
【００８７】
シャッター上部取付け用プレート５８０の裏側両端下部には、第１の遮蔽板５１０のスリット５１１と係合する係合部５８５が備わっている（図２１では右側の係合部のみ図示）。この係合部５８５は、第１の遮蔽板５１０のスリット５１１に沿って移動可能となっており、係合部５８５がスリット５１１に沿ってスムーズに移動することで、シャッター上部取付け用プレート５８０と第１の遮蔽板５１０の重なり度合いを変えることができるようになっている。
【００８８】
また、第１の遮蔽板５１０の裏側には、スリット５１１の下端部の内側近傍であって第１の遮蔽板５１０の下縁近傍に第２の遮蔽板５２０のスリット５２１と係合する係合部５１２が備わっている（図２１では右側の係合部のみ図示）。この係合部５１２は、第２の遮蔽板５２０のスリット５２１に沿って移動可能となっており、係合部５１２がスリット５２１に沿って移動することで、第１の遮蔽板５１０と第２の遮蔽板５２０の重なり度合いを変えることができるようになっている。
【００８９】
以下、第２の遮蔽板５２０乃至第６の遮蔽板５６０まで隣接する遮蔽板同士において同様の作用を発揮する係合部５２２〜５６２が備わり（図２１では右側の係合部のみ図示）、この係合部５２２〜５６２が下側の遮蔽板のスリットに沿って移動可能となっている。即ち、係合部５２２〜５６２がスリット５２１〜５７１に沿って移動することで、上側の遮蔽板と下側の遮蔽板の重なり度合いを変えることができるようになっている。
【００９０】
上述した第１変形例がこのような構成を有することで、上述した実施形態の作用を有することに加えて、シャッター５００の両端の部分を固定パネル８００で隠すことができる。その結果、シャッター５００の端部に備えたシャッター伸縮機構の部分を外部から見えないようにし、このシャッター伸縮機構の構造の見栄えを気にすることなくこの部分の設計の自由度を高めると共に、昇降便器２の外部からの美観を保つことができる。
【００９１】
続いて、本発明の一実施形態に係る第２変形例について説明する。図２３は、本発明の一実施形態の第２変形例を示す斜視図である。また、図２４は、図２３の第２変形例において天板５２及び小物収納部５１、側板５３、及び開閉扉５５を取り去り、かつ便器２０を取り外した状態を示す斜視図である。また、図２５は、図２４に示した第２変形例における昇降便器３の固定パネル９００を取り外した状態を示す正面図である。また、図２６は、図２４に示した第２変形例における昇降便器３のシャッター６００を示す斜視図である。また、図２７は、図２６に示したシャッター６００の伸縮機構を拡大して示す斜視図である。
【００９２】
上述の実施形態の第２変形例に係る昇降便器３は、固定パネル９００の形状とシャッター形状が上述の実施形態及びその第１変形例と異なっている。具体的には、固定パネル９００は昇降装置４０の前面を全体的に覆う大きさを有し、その下端部から深さの深い切欠き９０１が上方に向かって形成されている。この切欠き９０１は、昇降装置４０の可動フレーム４３０に備わった便器取付け用のボルト４３５、蛇腹状排水管３０、給水パイプ２６、及び便器受け部４３９との干渉を避けるためのものである。
【００９３】
シャッター６００は、図２５及び図２６に示すように第１変形例ほど上側の遮蔽板６１０から下側の遮蔽板６４０に向かって幅が狭くなっておらず、幅が僅かに段階的に狭くなるようになっている。
【００９４】
シャッター６００は、図２６に示すようにシャッター６００の最上部に位置するシャッター上部取付板６５０と、このシャッター上部取付板６５０から幅方向に連結された第１乃至第４の遮蔽板６１０〜６４０からなる。そして、シャッター上部取付け板６５０の上縁には、上述の実施形態及びその第１変形例と同等の作用を発揮する切欠き６５１が形成されている。切欠き６５１の最も深さの深い部分の両側近傍にはシャッター上部取付け板６５０を可動フレーム４３０に取付ける取付け孔６５２が形成され、シャッター上部取付け板６５０をビス等の締結具（図２６では左側のビスのみ図示）で可動フレーム４３０の横桟４３０ｂに取付けるようになっている。
【００９５】
また、第４の遮蔽板６４０の両端からはシャッター６００を固定フレーム４２０の下端に取付けるシャッター下部取付け部６４５が備わり、シャッター下部取付け部６４５の端部に形成された取付け孔６４５ａを介してシャッター６００の下端をビス等の締結具で固定フレーム４３０の下端にしっかりと取付けるようになっている。
【００９６】
続いて、シャッター６００の伸縮構造について図面に基づいて説明する。第１乃至第４の遮蔽板６１０〜６４０の両端部は、幅方向全体にわたって平面視で角型Ｕ字状に折り曲げられ、それぞれ折り曲げ部６１１〜６４１を形成している。そして、第１乃至第４の遮蔽板６１０〜６４０の両端の折り曲げ部の上部にはこれらの遮蔽板の上側に連結される遮蔽板の折り曲げ部の内幅よりも若干狭い幅を有する外側折り返し部６１２〜６４２が形成されている。
【００９７】
また、シャッター上部取付け板６５０及び第１乃至第３の遮蔽板６１０〜６３０の両端の折り曲げ部６１１〜６３１の下端には内側折り返し部６５３，６１３〜６３３が形成されて、この内側折り返し部６１３〜６３３は、第１乃至第３の遮蔽板の両端部折り曲げ部内におけるこれらの遮蔽板の下側に連結される遮蔽板の外側折り返し部の折り曲げ部の内幅よりも若干狭い幅を有している。
【００９８】
そして、遮蔽板６１０〜６３０の外側折り返し部がその上側に位置する遮蔽板及びシャッター上部取付け板の折り曲げ部内を摺動することでシャッター６００を伸ばすことができ、遮蔽板の外側折り返し部がその上側に位置する遮蔽板又はシャッター上部取付け板の内側折り曲げ部６５３，６１３〜６３３に当接することでこの内側折り曲げ部がストッパとしての役目を果たし、シャッター６００の伸び量を規制するようになっている。
【００９９】
上述した第２変形例に係る昇降便器３がこのような構成を有することで、上述した実施形態の作用を有することに加えて、シャッター６００の両端の部分を固定パネル９００で隠すことができる。その結果、シャッター６００の端部に備えたシャッター伸縮機構の部分を外部から見えないようにし、このシャッター伸縮機構の構造の見栄えを気にすることなくこの部分の設計の自由度を高めると共に、昇降便器３の外部からの美観を保つことができる。
【０１００】
なお、上述の実施形態及びその変形例に係る昇降装置のシャッターに代わる構造として、図２８に示すようなロールスクリーン７０を用いても良い。この場合、ロールスクリーン７０の上端部７１を可動フレーム４３０の下側の横桟４３０ｂに固定すると共に、ロールスクリーン７０の巻回部である下端部７２を昇降装置４０の固定フレーム４２０の下端部に回転可能に固定すれば良い。この際、ロールスクリーン７０は、図示しないバネ材によって常に張力が作用して見栄え上綺麗に張った状態を保つようにするのが好ましい。
【０１０１】
また、上述したロールスクリーン７０の代わりに、図２９に示すようなアコーディオンカーテン８０を用いることも可能である。この場合、アコーディオンカーテン８０の上端部８１を可動フレーム４３０の下側の横桟４３０ｂに固定すると共に、下端部８２を固定フレーム４２０の底部に取り付ければ良い。このようなアコーディオンカーテン８０を用いることによって、この部分の清掃性を高めることができる。
【０１０２】
なお、ここに示した各実施形態は本発明の一形態に過ぎない。昇降便器の構造や、施工手順、シャッター取付構造などは本発明の範囲を逸脱しない限りにおいて適宜変更することが可能である。
【図面の簡単な説明】
【０１０３】
【図１】本発明の一実施形態に係る昇降便器を示す斜視図である。
【図２】図１に示した昇降便器の便器が下限位置にある状態を示す正面図である。
【図３】図１に示した昇降便器の便器が上限位置にある状態を示す正面図である。
【図４】図１に示した昇降便器の便器を取り去った状態を示す斜視図である。
【図５】図４に示した昇降便器の天板と小物収納部、開閉扉、及び側板を除いた状態を便器と共に示す図である。
【図６】図５に示した固定パネルの裏面を示す平面図である。
【図７】図５に示した昇降装置の昇降パネルを外した状態を示す斜視図である。
【図８】図５に示した昇降パネルを裏側から示す正面図である。
【図９】図７に示した昇降装置の貯水タンクを取り外した状態を示す斜視図である。
【図１０】図１に示した昇降装置の昇降パネルを外外した状態を示す斜視図である。
【図１１】図８に示した昇降パネルの下側部分の固定状態を裏側から示す斜視図である。
【図１２】図１１に示した固定状態をより詳細に示す側面図である。
【図１３】図１乃至図５に示したシャッターを目隠し板と共に示す斜視図である。
【図１４】図１３に示したシャッターと目隠し板を裏側から見た斜視図である。
【図１５】図１４に示したシャッターの伸縮機構を拡大して示す斜視図である。
【図１６】図１３乃至図１５に示したシャッターを可動フレームに取付けた後であって目隠し板を可動フレームに取付ける前の状態を示す斜視図である。
【図１７】昇降パネルと目隠し板とシャッターとの結合関係を裏側から示す斜視図である。
【図１８】シャッターの下端部と昇降装置の固定パネルとの取付け状態を部分的に拡大して示す斜視図である。
【図１９】本発明の一実施形態に係る昇降便器の第１変形例を示す斜視図である。
【図２０】図１９に示した第１変形例のシャッターを表側から示す斜視図である。
【図２１】図１９に示した第１変形例のシャッターを裏側から示す斜視図である。
【図２２】図２１に示した第１変形例のシャッターの伸縮機構を部分的に拡大して示す斜視図である。
【図２３】本発明の一実施形態の第２変形例を示す斜視図である。
【図２４】図２３に示した第２変形例において天板及び小物収納部、開閉扉、及び側板を取り去り、かつ便器を取り外した状態を示す斜視図である。
【図２５】図２４に示した第２変形例における昇降装置の固定パネルを取り外した状態を示す正面図である。
【図２６】図２４に示した第２変形例における昇降装置のシャッターを示す斜視図である。
【図２７】図２６に示したシャッターの伸縮機構を拡大して示す斜視図である。
【図２８】本発明の一実施形態に係る昇降装置のシャッターに代わる第１の代用品であるロールスクリーンを示す斜視図である。
【図２９】本発明の一実施形態に係る昇降装置のシャッターに代わる第２の代用品であるアコーディオンカーテンを示す斜視図である。
【図３０】上部において下方に向かう縦長の切欠きが形成され、前方部分において上方一部を残した幅狭の切欠きが形成された一方の仕切り板を便器と共に示す側面図である。
【図３１】可動フレームの下側の横桟の部分及びその近傍を拡大して示す斜視図である。
【符号の説明】
【０１０４】
１，２，３    昇降便器
２０    便器
２１    便器底部
２２    後方凹部
２６    給水パイプ
３０    蛇腹状排水管（排水配管）
３１    便器側端部
４０    昇降装置
５０    キャビネット（収容部）
５１    小物収納部
５２    天板
５３    側板
５５    開閉扉
７０    ロールスクリーン
７１    上端部
７２    下端部
８０    アコーディオンカーテン
８１    上端部
８２    下端部
１００    シャッター
１１０    遮蔽板
１００ｄ    下端部
１１１（１１２）    連結片
１２３（１２４）〜１５３（１５４）    外側連結片
１１５（１１６）〜１５５（１５６）    連結ピン
１１９    シャッター上側取付け部
１１９ａ    切欠き
１１９ｂ    取付け孔
１２０    遮蔽板
１２１（１２２）〜１４１（１４２）    内側連結片
１２３（１２４）〜１５１（１５２）外側連結片
１２３ａ（１２４ａ）    ピン挿入孔
１２５（１２６）    連結ピン
１３０    遮蔽板
１３３ａ（１３４ａ）    ピン挿入孔
１３５（１３６）    連結ピン
１４０    遮蔽板
１４３ａ（１４４ａ）    ピン挿入孔
１５０    遮蔽板
１５３ａ（１５４ａ）    ピン挿入孔
１５５（１５６）    連結ピン
１７０    起立板
１８０    目隠し板
１８０ａ    上面
１８０ｂ    取付け孔
１８２    切欠き
１８３，１８４    昇降パネル下側取付け部
１８５，１８６    段部
１８７，１８８    排水管目隠し部
１９０    シャッター下側取付け部
１９０ａ    底面部
１９０ｂ    起立部
１９１    取付け片
１９１ａ    取付け孔
１９２    起立部
１９３（１９４）    連結片
１９３ａ（１９４ａ）    ピン挿入孔
２００    固定パネル
２１１，２１２，２１３，２１４    固定パネル取付け用弾性板
３００    昇降パネル
３００ｂ    裏面
３００ｄ    下端
３０１，３０２    切欠き
３０２ａ    上縁中央部
３１１，３１２，３１３，３１４    昇降パネル取付け用弾性板
３１３ｂ，３１４ｂ    テーパ部
４１５    固定部
４２０    固定フレーム
４２０ａ，４２０ｂ，４３０ａ，４３０ｂ    横桟
４２１，４２２，４２３，４２４    固定パネル取付け部
４２５    固定部
４２５ａ    取付け孔
４２８    便器当て部
４２９    トイレ後壁結合部
４３０    可動フレーム
４３１，４３２    昇降パネル上側取付け部
４３５    ボルト
４３９    便器受け部
４５０    貯水タンク
４５５    仕切り板
４５５ａ，４５５ｂ    切欠き
４５６    仕切り板
４５６ａ    切欠き
５００    シャッター
５１０〜５７０    遮蔽板
５１０ａ    裏側
５１１〜５７１    スリット
５１２〜５６２    係合部
５８０    シャッター上部取付け用プレート
５８１，５８２    切欠き
５８３    取付け孔
５８５    係合部
６００    シャッター
６１０〜６４０    遮蔽板
６１１〜６４１    折り曲げ部
６１２〜６４２    外側折り返し部
６１３〜６３３    内側折り返し部
６４５  シャッター下側取付け部
６４５ａ  取付け孔
６５０    シャッター上部取付け板
６５１    切欠き
６５２    取付け孔
８００    固定パネル
８１０    上側固定パネル
８１１，８２１    切欠き
８２０    下側固定パネル
９００    固定パネル
９０１    切欠き
【図１】
2010127003.tif 000003
【図２】
2010127003.tif 000004
【図３】
2010127003.tif 000005
【図４】
2010127003.tif 000006
【図５】
2010127003.tif 000007
【図６】
2010127003.tif 000008
【図７】
2010127003.tif 000009
【図８】
2010127003.tif 000010
【図９】
2010127003.tif 000011
【図１０】
2010127003.tif 000012
【図１１】
2010127003.tif 000013
【図１２】
2010127003.tif 000014
【図１３】
2010127003.tif 000015
【図１４】
2010127003.tif 000016
【図１５】
2010127003.tif 000017
【図１６】
2010127003.tif 000018
【図１７】
2010127003.tif 000019
【図１８】
2010127003.tif 000020
【図１９】
2010127003.tif 000021
【図２０】
2010127003.tif 000022
【図２１】
2010127003.tif 000023
【図２２】
2010127003.tif 000024
【図２３】
2010127003.tif 000025
【図２４】
2010127003.tif 000026
【図２５】
2010127003.tif 000027
【図２６】
2010127003.tif 000028
【図２７】
2010127003.tif 000029
【図２８】
2010127003.tif 000030
【図２９】
2010127003.tif 000031
【図３０】
2010127003.tif 000032
【図３１】
2010127003.tif 000033